(57)【要約】      （修正有）【課題】撮像装置を他の機器に隣接して配置する場合に、撮像装置の基台に他の機器を乗り上げることなく撮像部と他の機器とを近づけて（近接して）配置することが可能で、かつ、縦長の構成であっても安定して設置することが可能な卓上型顔認証用撮像装置を提供する。【解決手段】この卓上型顔認証用撮像装置１００は、卓上に配置される略矩形平板形状の基台１と、顔認証用の画像を撮像する撮像部２と、基台１に対して、基台１の上面１１と略直交する回転中心軸線α周りに回転可能に接続され、撮像部２を収容するとともに、平面視における大きさが基台１の大きさよりも小さい柱状の回転可能筐体５とを備え、柱状の回転可能筐体５の回転中心軸線αは、平面視において、基台１の中心点から偏った位置に配置されている。【選択図】図１
0003210133.tif 000002
【実用新案登録請求の範囲】
【請求項１】
卓上に配置される略矩形平板形状の基台と、
顔認証用の画像を撮像する撮像部と、
前記基台に対して、前記基台の表面と略直交する回転中心軸線周りに回転可能に接続され、前記撮像部を収容するとともに、平面視における大きさが前記基台の大きさよりも小さい柱状の回転可能筐体とを備え、
前記柱状の回転可能筐体の前記回転中心軸線は、平面視において、前記基台の中心点から偏った位置に配置されている、卓上型顔認証用撮像装置。
【請求項２】
前記柱状の回転可能筐体の前記回転中心軸線は、平面視において、前記略矩形形状の基台の第１端面と略平行な前記基台の第１中心線上に配置されている、請求項１に記載の卓上型顔認証用撮像装置。
【請求項３】
前記柱状の回転可能筐体の前記回転中心軸線は、前記基台の前記中心点と前記基台の１つの端面との中間位置近傍に配置されている、請求項１または２に記載の卓上型顔認証用撮像装置。
【請求項４】
前記回転可能筐体は、平面視で、前記回転中心軸線周りのすべての回転角度位置において、前記基台の縁部の内側に収まるように構成されている、請求項１〜３のいずれか１項に記載の卓上型顔認証用撮像装置。
【請求項５】
前記回転可能筐体の側面の一部には、前記撮像部により前記回転可能筐体の内部から外部を撮像するための光を透過可能な撮像窓部が設けられている、請求項１〜４のいずれか１項に記載の卓上型顔認証用撮像装置。
【請求項６】
前記撮像部および前記撮像窓部は、前記回転可能筐体の上端部近傍に配置されている、請求項５に記載の卓上型顔認証用撮像装置。
【請求項７】
前記回転可能筐体は、略四角柱形状を有し、
前記撮像窓部は、前記回転可能筐体の一側面に設けられている、請求項５または６に記載の卓上型顔認証用撮像装置。
【請求項８】
前記回転可能筐体は、前記撮像窓部と前記基台の第１端面とが略平行に配置されている場合、平面視において、前記第１端面と交差する前記基台の一対の端面のうちの前記回転中心軸線に近い側の第２端面と、前記第２端面に略平行な前記基台の第２中心線との間の領域内に配置されるように構成されている、請求項７に記載の卓上型顔認証用撮像装置。
【請求項９】
前記回転可能筐体は、前記撮像窓部と前記第１端面とが略平行に配置されている場合、前記第２端面と、前記第２端面側に位置する前記回転可能筐体の一方側面との間の第１距離が、前記第２端面とは反対側に位置する前記基台の第３端面と、前記一方側面とは反対側に位置する前記回転可能筐体の他方側面との間の第２距離よりも小さくなるように構成されている、請求項８に記載の卓上型顔認証用撮像装置。
【請求項１０】
前記撮像窓部と前記第１端面とが略平行に配置されている場合、前記第１距離は、前記第２端面と前記第３端面との間の第３距離の４分の１未満である、請求項９に記載の卓上型顔認証用撮像装置。
【請求項１１】
前記回転可能筐体は、平面視において、短辺と長辺とを有する略長方形形状に形成され、
前記撮像窓部は、前記回転可能筐体の前記短辺を含む一側面の上端部近傍に設けられている、請求項９または１０に記載の卓上型顔認証用撮像装置。
【請求項１２】
前記卓上型顔認証用撮像装置は、前記回転可能筐体の前記回転中心軸線に近い側の前記基台の端面を、情報端末側に配置した状態で、前記情報端末の近傍に設置可能に構成されている、請求項１〜１１のいずれか１項に記載の卓上型顔認証用撮像装置。
【考案の詳細な説明】
【技術分野】
【０００１】
本考案は、卓上型顔認証用撮像装置に関し、特に、基台と、基台に回転可能に接続され、撮像部を収容する筐体とを備える卓上型顔認証用撮像装置に関する。
【背景技術】
【０００２】
従来、基台と、基台に回転可能に接続され、撮像部を収容する筐体（撮像部収容体）とを備える撮像装置が知られている（たとえば、特許文献１参照）。
【０００３】
上記特許文献１には、基台と、撮像部と、基台に回転可能に接続され、撮像部を収容する筐体とを備える撮像装置が開示されている。基台は、平面視において、撮像部収容体（筐体）よりも小さい。なお、撮像装置は、縦長に（横方向の大きさよりも高さ方向の大きさの方が大きくなるように）形成されている。
【先行技術文献】
【特許文献】
【０００４】
【特許文献１】特開平１１−２６１８６２号公報
【考案の概要】
【考案が解決しようとする課題】
【０００５】
上記特許文献１に記載された撮像装置では、装置が縦長に形成されており、平面視において、基台が筐体よりも小さいため、撮像装置の設置状態が不安定であるという問題点がある。なお、撮像装置の設置状態を安定化するために単に基台を大きくすると設置面積が増大する。この場合に、たとえば、特許文献１の撮像装置を、情報端末（ＰＣ）が設置されている机などの上に、ＰＣに近接して配置すると、基台が大きいために、基台上の筐体に収容されている撮像部とＰＣとの距離も大きくなってしまう。一方、この点を考慮して撮像装置の基台上に情報端末（ＰＣ）を乗り上げて設置すると、ＰＣが傾くという不都合がある。このため、撮像装置の基台にＰＣを乗り上げることなく撮像装置の撮像部をＰＣなどの他の機器に近接して配置することが望ましい。
【０００６】
この考案は、上記のような課題を解決するためになされたものであり、この考案の１つの目的は、撮像装置を他の機器に隣接して配置する場合に、撮像装置の基台に他の機器を乗り上げることなく撮像部と他の機器とを近づけて（近接して）配置することが可能で、かつ、縦長の構成であっても安定して設置することが可能な卓上型顔認証用撮像装置を提供することである。
【課題を解決するための手段】
【０００７】
上記目的を達成するために、この考案の一の局面における卓上型顔認証用撮像装置は、卓上に配置される略矩形平板形状の基台と、顔認証用の画像を撮像する撮像部と、基台に対して、基台の表面と略直交する回転中心軸線周りに回転可能に接続され、撮像部を収容するとともに、平面視における大きさが基台の大きさよりも小さい柱状の回転可能筐体とを備え、柱状の回転可能筐体の回転中心軸線は、平面視において、基台の中心点から偏った位置に配置されている。
【０００８】
この考案による卓上型顔認証用撮像装置では、上記のように、平面視における大きさが基台の大きさよりも小さい柱状の回転可能筐体を設ける。これにより、柱状の回転可能筐体の大きさが平面視における基台の大きさよりも小さくなるので、縦長の構成であっても卓上型顔認証用撮像装置を安定して設置することができる。また、柱状の回転可能筐体の回転中心軸線を、平面視において、基台の中心点から偏った位置に配置する。これにより、回転可能筐体を基台に対して回転させて、基台の回転可能筐体に近い側の端面を情報端末（ＰＣ）などの他の機器に向けることによって、平面視における回転可能筐体内の撮像部と、基台の他の機器側の端面との距離を小さくすることができるので、基台上の回転可能筐体に収容されている撮像部と他の機器との距離を小さくすることができる。その結果、卓上型顔認証用撮像装置を他の機器に隣接して配置する場合に、卓上型顔認証用撮像装置の基台に他の機器を乗り上げることなく撮像部と他の機器とを近づけて（近接して）配置することができる。つまり、他の機器を基台により傾かせることなく、他の機器と撮像部（回転可能筐体）とを容易に１人の操作者の手の届く範囲に配置することができる。以上により、卓上型顔認証用撮像装置を他の機器に隣接して配置する場合に、卓上型顔認証用撮像装置の基台に他の機器を乗り上げることなく撮像部と他の機器とを近づけて（近接して）配置することができるとともに、縦長の構成であっても安定して設置することができる。
【０００９】
上記考案による卓上型顔認証用撮像装置において、好ましくは、柱状の回転可能筐体の回転中心軸線は、平面視において、略矩形形状の基台の第１端面と略平行な基台の第１中心線上に配置されている。このように構成すれば、回転可能筐体が第１中心線上に配置されるので、平面視において、第１中心線に交差する方向において、卓上型顔認証用撮像装置をより安定して設置することができる。
【００１０】
上記考案による卓上型顔認証用撮像装置において、好ましくは、柱状の回転可能筐体の回転中心軸線は、基台の中心点と基台の１つの端面との中間位置近傍に配置されている。このように構成すれば、回転中心軸線を、基台の中心点近傍や基台の１つの端面近傍に配置する場合と比較して、卓上型顔認証用撮像装置を他の機器に隣接して配置する場合に、卓上型顔認証用撮像装置の基台に他の機器を乗り上げることなく撮像部と他の機器とを近づけて（近接して）配置することができるという効果と、縦長の構成であっても卓上型顔認証用撮像装置を安定して設置することができるという効果との両方の効果をバランスよく達成することができる。
【００１１】
上記考案による卓上型顔認証用撮像装置において、好ましくは、回転可能筐体は、平面視で、回転中心軸線周りのすべての回転角度位置において、基台の縁部の内側に収まるように構成されている。このように構成すれば、回転可能筐体を回転させる際に、回転可能筐体が、基台の縁部からはみ出ることがないので、回転可能筐体の近傍に配置されている情報端末などの他の機器に、回転可能筐体が接触するのを回避することができる。
【００１２】
上記考案による卓上型顔認証用撮像装置において、好ましくは、回転可能筐体の側面の一部には、撮像部により回転可能筐体の内部から外部を撮像するための光を透過可能な撮像窓部が設けられている。このように構成すれば、撮像窓部により、撮像部を外部に露出させることなく、顔認証用の画像を回転可能筐体の内部から撮像することができる。
【００１３】
この場合、好ましくは、撮像部および撮像窓部は、回転可能筐体の上端部近傍に配置されている。このように構成すれば、認証対象者の顔に近い位置に撮像部を配置することができるので、顔認証用の画像をより精度よく撮像することができる。
【００１４】
上記回転可能筐体の側面の一部に撮像窓部が設けられる構成において、好ましくは、回転可能筐体は、略四角柱形状を有し、撮像窓部は、回転可能筐体の一側面に設けられている。このように構成すれば、撮像窓部が平坦な（略四角柱形状の回転可能筐体の）一側面に設けられるので、認証対象者に対して撮像窓部が設けられた回転可能筐体の平坦面を向けるだけで、概ね、認証対象者を撮像領域に入れることができる。その結果、撮像部の方向付けを容易に行うことができる。
【００１５】
上記撮像窓部が回転可能筐体の一側面に設けられる構成において、好ましくは、回転可能筐体は、撮像窓部と基台の第１端面とが略平行に配置されている場合、平面視において、第１端面と交差する基台の一対の端面のうちの回転中心軸線に近い側の第２端面と、第２端面に略平行な基台の第２中心線との間の領域内に配置されるように構成されている。このように構成すれば、回転可能筐体が第２端面と第２中心線との間に収まるように配置されるので、第２端面と第２中心線とが並ぶ方向において、卓上型顔認証用撮像装置をより安定して設置することができる。
【００１６】
上記回転可能筐体が第２端面と第２中心線との間の領域内に配置される構成において、好ましくは、回転可能筐体は、撮像窓部と第１端面とが略平行に配置されている場合、第２端面と、第２端面側に位置する回転可能筐体の一方側面との間の第１距離が、第２端面とは反対側に位置する基台の第３端面と、一方側面とは反対側に位置する回転可能筐体の他方側面との間の第２距離よりも小さくなるように構成されている。このように構成すれば、回転可能筐体と第２端面との間の距離を小さくすることができるので、操作者のより手の届きやすい範囲に情報端末などの他の機器および回転可能筐体（操作を必要とする部分）を配置することができる。
【００１７】
上記第１距離が第２距離よりも小さい構成において、好ましくは、撮像窓部と第１端面とが略平行に配置されている場合、第１距離は、第２端面と第３端面との間の第３距離の４分の１未満である。このように構成すれば、回転可能筐体と第２端面との間の距離をより小さくすることができるので、操作者の一層手の届きやすい範囲に情報端末などの他の機器および回転可能筐体（操作を必要とする部分）を配置することができる。
【００１８】
上記第１距離が第２距離よりも小さい構成において、好ましくは、回転可能筐体は、平面視において、短辺と長辺とを有する略長方形形状に形成され、撮像窓部は、回転可能筐体の短辺を含む一側面の上端部近傍に設けられている。このように構成すれば、撮像方向である短手側の撮像窓部に撮像部を向けた状態を維持して、撮像部を長辺側に移動できるように構成することが可能となる。すなわち、撮像部の設置角度などを調整するためのスペースを広く確保することができる。
【００１９】
上記一の局面による卓上型顔認証用撮像装置において、好ましくは、卓上型顔認証用撮像装置は、回転可能筐体の回転中心軸線に近い側の基台の端面を、情報端末側に配置した状態で、情報端末の近傍に設置可能に構成されている。このように構成すれば、回転可能筐体の回転中心軸線から遠い側の基台の端面を、情報端末側に配置する場合と比較して、情報端末の近傍に回転可能筐体を配置することができる。その結果、操作者の手の届きやすい範囲に情報端末および回転可能筐体（操作を必要とする部分）を配置することができる。また、基台に情報端末が乗り上げることにより、情報端末が傾くことを回避することができる。
【考案の効果】
【００２０】
本考案によれば、撮像装置を他の機器に隣接して配置する場合に、撮像装置の基台に他の機器を乗り上げることなく撮像部と他の機器とを近づけて（近接して）配置することが可能で、かつ、縦長の構成であっても安定して設置することが可能な卓上型顔認証用撮像装置を提供することができる。
【図面の簡単な説明】
【００２１】
【図１】本考案の一実施形態による卓上型顔認証用撮像装置の全体構成を示した斜視図である。
【図２】本考案の一実施形態による卓上型顔認証用撮像装置の全体構成を示した平面図である。
【図３】図２の５００−５００線に沿った断面図である。
【図４】本考案の一実施形態による卓上型顔認証用撮像装置を情報端末の左側に設置して使用する例について説明するための図である。
【図５】本考案の一実施形態による卓上型顔認証用撮像装置を情報端末の右側に設置して使用する例について説明するための図である。
【図６】本考案の一実施形態の第１変形例による卓上型顔認証用撮像装置の全体構成を示した斜視図である。
【図７】本考案の一実施形態の第２変形例による卓上型顔認証用撮像装置の全体構成を示した斜視図である。
【図８】本考案の一実施形態の第３変形例による卓上型顔認証用撮像装置の使用状態を示した斜視図である。
【考案を実施するための形態】
【００２２】
以下、本考案の実施形態を図面に基づいて説明する。
【００２３】
（卓上型顔認証用撮像装置の構成）
図１〜図３を参照して、本実施形態による卓上型顔認証用撮像装置１００の構成について説明する。
【００２４】
図１〜図３に示す卓上型顔認証用撮像装置１００は、卓上（机などの上）に設置され、認証対象者の顔認証に使用される撮像装置である。卓上型顔認証用撮像装置１００は、顔認証用の画像を撮像可能に構成されている。認証対象者の顔の画像が撮像された場合、画像が認証を行う機器に出力されて、認証対象者を特定するための所定の認証動作が行われる。卓上型顔認証用撮像装置１００の具体的な使用例については後述する。
【００２５】
図１〜図３に示すように、卓上型顔認証用撮像装置１００は、基台１と、撮像部２と、ヒンジ部３と、撮像窓部４が設けられた回転可能筐体５とを備えている。ここで、第１実施形態では、回転可能筐体５は、基台１に対して、回転中心軸線α周りに（Ｒ１方向に）回転可能に接続されている。
【００２６】
図１に示すように、基台１は、卓上型顔認証用撮像装置１００の最下部に配置される構成である。つまり、基台１は、卓上型顔認証用撮像装置１００の各構成を支える土台部分である。また、基台１は、卓上（机などの上）に設置されて使用される。また、基台１は、矩形平板形状に形成されている。また、図２に示すように、基台１は、平面視において（Ｚ方向から見て）、概ね、正方形形状に形成されている。
【００２７】
基台１は、４つの端面１０ａ、１０ｂ、１０ｃ、１０ｄと、上面１１と、下面１２とを有している。端面１０ａは、実用新案登録請求の範囲の「第１端面」の一例である。また、端面１０ｃは、実用新案登録の範囲の「第２端面」の一例である。また、端面１０ｄは、実用新案登録請求の範囲の「第３端面」の一例である。また、上面１１は、実用新案登録の範囲の「表面」の一例である。
【００２８】
端面１０ｂは、端面１０ａの反対側（Ｙ１方向側）に位置する面である。つまり、端面１０ａと端面１０ｂとは、互いに平行に形成されている。端面１０ｃと端面１０ｄとは、端面１０ａと交差する一対の端面である。端面１０ｄは、端面１０ｃの反対側（Ｘ１方向側）に位置する面である。つまり、端面１０ｃと端面１０ｄとは、互いに平行に形成されている。
【００２９】
端面１０ｃは、平面視において（Ｚ方向から見て）、端面１０ｄよりも回転可能筐体５の回転中心軸線αに近い側の端面である。なお、回転中心軸線αは、上面１１と直交する方向（上下方向、Ｚ方向）に延びている。
【００３０】
基台１は、平面視において（Ｚ方向から見て）、端面１０ａと端面１０ｂとの中間位置で、かつ、端面１０ａに平行に配置される第１中心線βに対して線対称となるように形成されている。また、基台は、平面視において（Ｚ方向から見て）、端面１０ｃと端面１０ｄとの中間位置で、かつ、端面１０ｃに平行に配置される第２中心線γに対して線対称となるように形成されている。
【００３１】
図３に示すように、基台１の上面１１には、回転可能筐体５が回転可能に接続される（取り付けられる）係合部１３が設けられている。係合部１３は、上面１１から上方（Ｚ１方向）に突出する凸形状を有している。また、係合部１３は、回転可能筐体５の下壁５０に設けられた貫通穴５０ａに嵌合している。また、係合部１３は、接続された回転可能筐体５が抜けて外れることがないように、回転可能筐体５の上方（Ｚ１方向）への移動を規制する抜止部１３ａを有している。係合部１３は、たとえば、リベットやネジなどにより構成することが可能である。
【００３２】
撮像部２は、顔認証用の画像を撮像可能に構成されている。詳細には、撮像部２は、撮像部２の撮像領域に入り込んだ認証対象者の顔の画像を撮影可能に構成されている。撮像部２は、たとえば、ピンホールカメラなどである。また、撮像部２は、ＬＡＮケーブルＣが接続されるＬＡＮケーブル接続口２ａを有している。また、撮像部２は、ＬＡＮケーブルＣを介して、データの送受信を行うとともに、電力の供給を受けるように構成されている。また、撮像部２は、回転可能筐体５内に収容されている。また、撮像部２は、回転可能筐体５の上端部近傍に配置されている。また、撮像部２は、ヒンジ部３に取り付けられている。
【００３３】
ヒンジ部３は、回転可能筐体５内から回転可能筐体５の上壁５１に設置されている。また、ヒンジ部３は、回動軸部３１と、撮像部２が固定される取付板部３２とを有している。回動軸部３１は、撮像窓部４（撮像窓部４の前面）と平行で、かつ、水平方向に延びる丸棒状に形成されている。また、取付板部３２は、回動軸部３１の周方向（Ｒ２方向）に回動可能なように、下方から回動軸部３１に取り付けられている。ヒンジ部３は、取付板部３２の所定の回動位置を保持可能に構成されている。つまり、ヒンジ部３は、撮像部２の所定の傾斜角度を保持可能に構成されている。なお、通常、取付板部３２は、認証対象者を下方側から撮像可能なような所定の回動位置に保持される。
【００３４】
撮像窓部４は、回転可能筐体５の上端部近傍に設けられている。また、撮像窓部４は、回転可能筐体５の側面（後述する短辺５２(図２参照)を含む一側面）の一部に設けられている。また、撮像窓部４は、撮像部２による撮像のための光を透過可能に構成されている。撮像窓部４は、たとえば、薄く着色（黒色など）されたアクリル樹脂により形成されている。これにより、認証対象者は、回転可能筐体５の撮像部２を直接視認することができなくなるので（視認し難くなるので）、撮像部２に顔を撮像されている、と感じることによる精神的な負担が軽減される。
【００３５】
撮像部２および撮像窓部４は、回転可能筐体５の回転に伴って回転可能筐体５とともに回転中心軸線α周りに（Ｒ１方向に）回転するように構成されている。なお、図１〜図３では、撮像窓部４は、基台１の端面１０ａと平行になる所定の回転位置に配置されている（撮像窓部４と基台１の端面１０ａとが平行に配置されている場合（状態）を示している）。
【００３６】
図１に示すように、回転可能筐体５は、上下方向（Ｚ方向）に延びる柱状に形成されている。また、図２に示すように、回転可能筐体５は、平面視において（Ｚ方向から見て）、四角柱形状に形成されている。また、回転可能筐体５は、平面視において（Ｚ方向から見て）、短辺５２と長辺５３とを有する長方形形状に形成されている。短辺５２および長辺５３は、要するに、回転可能筐体５を上方から見た際に、回転可能筐体５の輪郭を形成する各辺である。
【００３７】
回転可能筐体５は、平面視における大きさ（短辺５２×長辺５３）が基台１の大きさ（端面１０ａのＸ方向の長さ×端面１０ｃのＹ方向の長さ）よりも小さい。さらに、回転可能筐体５は、平面視における大きさが基台１の大きさの２分の１よりも小さい。
【００３８】
回転可能筐体５は、前側面５４（Ｙ２方向側の側面）、後側面５５（Ｙ１方向側の側面）、左側面５６（Ｘ２方向側の側面）、および、右側面５７（Ｘ１方向側の側面）の４つの側面を有している。なお、左側面５６は、実用新案登録請求の範囲の「一方側面」の一例である。また、右側面５７は、実用新案登録請求の範囲の「他方側面」の一例である。
【００３９】
前側面５４の上端部近傍には、撮像窓部４が設けられている。後側面５５は、前側面５４とは反対側に配置されている。左側面５６は、前側面５４と交差する一対の側面のうちの図１〜図３（撮像窓部４（前側面５４）と基台１の端面１０ａとが平行に配置されている場合）において基台１の端面１０ｃ側に配置されている。右側面５７は、左側面５６とは反対側に配置されている。
【００４０】
図２に示すように、前側面５４および後側面５５は、短辺５２を含んでいる。左側面５６および右側面５７は、長辺５３を含んでいる。後側面５５の下端部には、ＬＡＮケーブルＣが通されるＬＡＮケーブル穴５４ａ（図３参照）が設けられている。
【００４１】
回転可能筐体５の回転中心軸線αは、平面視において（Ｚ方向から見て）、回転可能筐体５の中心に配置されている。詳細には、回転中心軸線αは、前側面５４と後側面５５との中間位置で、かつ、左側面５６と右側面５７との中間位置に配置されている。
【００４２】
ここで、第１実施形態では、図２に示すように、回転中心軸線αは、平面視において（Ｚ方向から見て）、基台１の中心点Ｏ（第１中心線βと第２中心線γとの交点）からＸ２方向（端面１０ｃ方向）に偏った位置に配置されている。また、回転中心軸線αは、第１中心線β上に配置されている。つまり、回転中心軸線αは、平面視において（Ｚ方向から見て）、互いに平行に配置される基台１の端面１０ａおよび基台１の端面１０ｂの中間位置に配置されている。
【００４３】
回転中心軸線αは、基台１の中心点Ｏと基台１の１つの端面との中間位置近傍に配置されている。詳細には、基台１の端面１０ｃと基台１の端面１０ｄとの間の距離をＤ１とした場合、回転中心軸線αは、第１中心線βに沿って、基台１の中心点Ｏから距離Ｄ１の４分の１の距離だけＸ２方向に偏った位置に配置されている。なお、距離Ｄ１は、実用新案登録請求の範囲の「第３距離」の一例である。
【００４４】
回転可能筐体５は、平面視で、回転中心軸線α周りのすべての回転角度位置において、基台１の縁部の内側に収まるように構成されている。詳細には、図２には、平面視において（Ｚ方向から見て）、回転中心軸線α周りに回転可能筐体５を回転させた際の回転可能筐体５の４つの角部の軌跡Ｔｒを二点鎖線により示している。なお、４つの角部は、共に、平面視において（Ｚ方向から見て）、回転中心軸線αから最も離間している点であり、長辺５３と短辺５２との各交点である。回転する４つの角部が描く二点鎖線の円形状の軌跡Ｔｒは、基台１の縁部の内側に収まっている。したがって、回転可能筐体５は、回転したとしても、平面視で、基台１の縁部からはみ出ることはない。なお、基台１の縁部は、端面１０ａ、１０ｂ、１０ｃ、１０ｄにより形成されている。
【００４５】
回転可能筐体５は、撮像窓部４（前側面５４）と基台１の端面１０ａとが平行に配置されている場合、平面視において（Ｚ方向から見て）、基台１の端面１０ｃと、第２中心線γとの間の領域内に配置されるように構成されている。つまり、回転可能筐体５は、撮像窓部４（前側面５４）と基台１の端面１０ａとが平行に配置されている場合、左側面５６が端面１０ｃのＸ１方向側に配置され、右側面５７が第２中心線γのＸ２方向側に配置されるように構成されている。
【００４６】
回転可能筐体５は、撮像窓部４（前側面５４）と基台１の端面１０ａとが平行に配置されている場合、端面１０ｃと左側面５６との間の距離Ｄ２が、基台１の端面１０ｄと右側面５７との間の距離Ｄ３よりも小さくなるように構成されている。また、距離Ｄ２は、端面１０ｃと端面１０ｄとの間の距離Ｄ１の４分の１未満である。なお、距離Ｄ２は、実用新案登録請求の範囲の「第１距離」の一例である。また、距離Ｄ３は、実用新案登録請求の範囲の「第２距離」の一例である。
【００４７】
（使用例）
次に、図１、図４および図５を参照して、卓上型顔認証用撮像装置１００の使用例について説明する。なお、卓上型顔認証用撮像装置１００の使用の態様は、以下に示すものに限られない。
【００４８】
図４および図５に示す卓上型顔認証用撮像装置１００は、病院などで医師Ｉの診察室において卓上（机Ｄなどの上）に設置して患者Ｋの顔認証に使用される。顔認証を行う場合、医師（医療従事者）Ｉは、基台１を把持して、回転可能筐体５を回転中心軸線α（図１参照）周りに回転させることにより、患者Ｋの顔が撮像部２（図１参照）の撮像領域内に入るように調整を行う。このため、卓上型顔認証用撮像装置１００は、医師Ｉの手が届く範囲に設置される。具体的には、卓上型顔認証用撮像装置１００は、医師Ｉが診察時に走査するノートパソコンなどの情報端末Ｊに近接して配置される。また、卓上型顔認証用撮像装置１００は、情報端末Ｊに対して患者Ｋ側に配置される。なお、卓上型顔認証用撮像装置１００を情報端末Ｊに近接して配置するのは、卓上型顔認証用撮像装置１００に医師Ｉの手が容易に届くようにするという目的だけではなく、卓上型顔認証用撮像装置１００および情報端末Ｊの配置スペースを小さくするという目的（利点）もある。このため、卓上型顔認証用撮像装置１００は、可能な限り情報端末Ｊの近傍に配置される。
【００４９】
ここで、卓上型顔認証用撮像装置１００は、回転可能筐体５（図１参照）に近い側の基台１の端面１０ｃ（図１参照）を情報端末Ｊに配置した状態で、情報端末Ｊの近傍に設置される。この際、卓上型顔認証用撮像装置１００は、基台１が情報端末Ｊの下方に入り込まないように設置される。これにより、情報端末Ｊが基台１により傾くことを防止することができる。
【００５０】
図４に示すように、卓上型顔認証用撮像装置１００を、医師Ｉから見て、情報端末Ｊの左側に設置する場合には、基台１の端面１０ｃ（図１参照）が右側にくるように、基台１を把持して、回転可能筐体５を回転中心軸線α（図１参照）周りに回転させる。
【００５１】
逆に、図５に示すように、卓上型顔認証用撮像装置１００を、医師Ｉから見て、情報端末Ｊの右側に設置する場合には、基台１の端面１０ｃ（図１参照）が左側にくるように、基台１を把持して、回転可能筐体５を回転中心軸線α（図１参照）周りに回転させる。
【００５２】
卓上型顔認証用撮像装置１００により撮像された顔画像のデータはＬＡＮケーブルＣ（図１参照）を介してサーバ（図示せず）に送られる。そして、顔認証により、患者Ｋが特定された場合には、サーバに接続された情報端末Ｊに認証対象者の診療記録などの各種情報が表示される。なお、顔認証は、撮像された顔の画像と予め登録された顔の画像とを照合（比較）することにより行われる。なお、卓上型顔認証用撮像装置１００は、情報端末Ｊの近傍だけでなく、壁面（図示せず）の近傍に配置することも可能である。この際、基台１の回転可能筐体５に近い側の端面１０ｃを壁面に向けることによって、壁面と回転可能筐体５（撮像部２）とを近接して配置することができる。すなわち、柱状の回転可能筐体５を壁面に沿って配置することができる。このため、卓上型顔認証用撮像装置１００（回転可能筐体５）を壁面から比較的遠くに配置する場合と比較して、卓上型顔認証用撮像装置１００（回転可能筐体５）を邪魔に（通行の妨げなどに）ならないように配置することができる。
【００５３】
顔認証を行う対象者は、病院の患者Ｋに限られるものではなく、病院の職員や出入り業者などの病院施設利用者を広く含むものである。また、卓上型顔認証用撮像装置１００は、病院での使用に限られるものではなく、福祉施設や市役所、テーマパーク、銀行などの各種施設において使用することも可能である。
【００５４】
（本実施形態の効果）
本実施形態では、以下のような効果を得ることができる。
【００５５】
本実施形態では、上記のように、平面視における大きさが基台１の大きさよりも小さい柱状の回転可能筐体５を設ける。これにより、柱状の回転可能筐体５の大きさが平面視における基台１の大きさよりも小さくなるので、縦長の構成であっても卓上型顔認証用撮像装置１００を安定して設置することができる。また、柱状の回転可能筐体５の回転中心軸線αを、平面視において、基台１の中心点から偏った位置に配置する。これにより、回転可能筐体５を基台１に対して回転させて、基台１の回転可能筐体５に近い側の端面１０ｃを情報端末（ＰＣ）などの他の機器に向けることによって、平面視における回転可能筐体５内の撮像部２と、基台１の他の機器側の端面１０ｃとの距離を小さくすることができるので、基台１上の回転可能筐体５に収容されている撮像部２と他の機器との距離を小さくすることができる。その結果、卓上型顔認証用撮像装置１００を他の機器に隣接して配置する場合に、卓上型顔認証用撮像装置１００の基台１に他の機器を乗り上げることなく撮像部２と他の機器とを近づけて（近接して）配置することができる。つまり、他の機器を基台１により傾かせることなく、他の機器と撮像部２（回転可能筐体５）とを容易に１人の操作者の手の届く範囲に配置することができる。以上により、卓上型顔認証用撮像装置１００を他の機器に隣接して配置する場合に、卓上型顔認証用撮像装置１００の基台１に他の機器を乗り上げることなく撮像部２と他の機器とを近づけて（近接して）配置することができるとともに、縦長の構成であっても安定して設置することができる。
【００５６】
本実施形態では、上記のように、柱状の回転可能筐体５の回転中心軸線αを、平面視において、略矩形形状の基台１の端面１０ａと略平行な基台１の第１中心線β上に配置する。これにより、回転可能筐体５が第１中心線β上に配置されるので、平面視において、第１中心線βに交差する方向において、卓上型顔認証用撮像装置１００をより安定して設置することができる。
【００５７】
本実施形態では、上記のように、柱状の回転可能筐体５の回転中心軸線αを、基台１の中心点Ｏと基台１の１つの端面との中間位置近傍に配置する。これにより、回転中心軸線αを、基台１の中心点近傍や基台１の１つの端面近傍に配置する場合と比較して、卓上型顔認証用撮像装置１００を他の機器に隣接して配置する場合に、卓上型顔認証用撮像装置１００の基台１に他の機器を乗り上げることなく撮像部２と他の機器とを近づけて（近接して）配置することができるという効果と、縦長の構成であっても卓上型顔認証用撮像装置１００を安定して設置することができるという効果との両方の効果をバランスよく達成することができる。
【００５８】
本実施形態では、上記のように、回転可能筐体５を、平面視で、回転中心軸線α周りのすべての回転角度位置において、基台１の縁部の内側に収まるように構成する。これにより、回転可能筐体５を回転させる際に、回転可能筐体５が、基台１の縁部からはみ出ることがないので、回転可能筐体５の近傍に配置されている情報端末などの他の機器に、回転可能筐体５が接触するのを回避することができる。
【００５９】
本実施形態では、上記のように、回転可能筐体５の側面の一部に、撮像部２により回転可能筐体５の内部から外部を撮像するための光を透過可能な撮像窓部４を設ける。これにより、撮像窓部４により、撮像部２を外部に露出させることなく、顔認証用の画像を回転可能筐体５の内部から撮像することができる。
【００６０】
本実施形態では、上記のように、撮像部２および撮像窓部４を、回転可能筐体５の上端部近傍に配置する。これにより、認証対象者の顔に近い位置に撮像部２を配置することができるので、顔認証用の画像をより精度よく撮像することができる。
【００６１】
本実施形態では、上記のように、回転可能筐体５を、略四角柱形状に形成し、撮像窓部４を、回転可能筐体５の一側面に設ける。これにより、撮像窓部４が平坦な（略四角柱形状の回転可能筐体５の）一側面に設けられるので、認証対象者に対して撮像窓部４が設けられた回転可能筐体５の平坦面を向けるだけで、概ね、認証対象者を撮像領域に入れることができる。その結果、撮像部の方向付けを容易に行うことができる。
【００６２】
本実施形態では、上記のように、撮像窓部４と基台１の端面１０ａとが略平行に配置されている場合、平面視において、端面１０ａと交差する基台１の一対の端面のうちの回転中心軸線αに近い側の端面１０ｃと、端面１０ｃに略平行な基台１の第２中心線γとの間の領域内に配置されるように、回転可能筐体５を構成する。これにより、回転可能筐体５が端面１０ｃと第２中心線γとの間に収まるように配置されるので、端面１０ｃと第２中心線γとが並ぶ方向において、卓上型顔認証用撮像装置１００をより安定して設置することができる。
【００６３】
本実施形態では、上記のように、撮像窓部４と端面１０ａとが略平行に配置されている場合、端面１０ｃと、端面１０ｃ側に位置する回転可能筐体５の左側面５６との間の距離Ｄ２が、端面１０ｃとは反対側に位置する基台１の端面１０ｄと、左側面５６とは反対側に位置する回転可能筐体５の右側面５７との間の距離Ｄ３よりも小さくなるように、回転可能筐体５を構成する。これにより、回転可能筐体５と端面１０ｃとの間の距離を小さくすることができるので、操作者のより手の届きやすい範囲に情報端末などの他の機器および回転可能筐体５（操作を必要とする部分）を配置することができる。
【００６４】
本実施形態では、上記のように、撮像窓部４と端面１０ａとが略平行に配置されている場合、距離Ｄ２を、端面１０ｃと端面１０ｄとの間の距離Ｄ１の４分の１未満とする。これにより、回転可能筐体５と端面１０ｃとの間の距離をより小さくすることができるので、操作者の一層手の届きやすい範囲に情報端末などの他の機器および回転可能筐体５（操作を必要とする部分）を配置することができる。
【００６５】
本実施形態では、上記のように、回転可能筐体５を、平面視において、短辺５２と長辺５３とを有する略長方形形状に形成し、撮像窓部４を、回転可能筐体５の短辺５２を含む一側面の上端部近傍に設ける。これにより、撮像方向である短手側の撮像窓部４に撮像部を向けた状態を維持して、撮像部を長辺５３側に移動できるように構成することが可能となる。すなわち、撮像部の設置角度などを調整するためのスペースを広く確保することができる。
【００６６】
本実施形態では、上記のように、回転可能筐体５の回転中心軸線αに近い側の基台１の端面を、情報端末側に配置した状態で、情報端末の近傍に設置可能に、卓上型顔認証用撮像装置１００を構成する。これにより、回転可能筐体５の回転中心軸線αから遠い側の基台１の端面を、情報端末側に配置する場合と比較して、情報端末の近傍に回転可能筐体５を配置することができる。その結果、操作者の手の届きやすい範囲に情報端末および回転可能筐体５（操作を必要とする部分）を配置することができる。また、基台１に情報端末が乗り上げることにより、情報端末が傾くことを回避することができる。
【００６７】
［変形例］
今回開示された実施形態は、全ての点で例示であり制限的なものではないと考えられるべきである。本考案の範囲は上記実施形態の説明ではなく実用新案登録請求の範囲によって示され、さらに実用新案登録請求の範囲と均等の意味および範囲内での全ての変更（変形例）が含まれる。
【００６８】
たとえば、上記実施形態では、平面視において、回転可能筐体を長方形形状に形成した例を示したが、本考案はこれに限られない。本考案では、たとえば、図６に示す第１変形例の卓上型顔認証用撮像装置２００ように、平面視において、回転可能筐体２０５を正方形形状に形成してもよい。また、図７に示す第１変形例の卓上型顔認証用撮像装置３００ように、平面視において、回転可能筐体３０５を円形形状に形成してもよい。
【００６９】
また、上記実施形態では、回転中心軸線を、平面視において、基台の第１端面と平行な第１中心線上に配置した例を示したが、本考案はこれに限られない。本考案では、回転中心軸線を、平面視において、第１端面と平行な基台の第１中心線上からずれた位置に配置してもよい。
【００７０】
また、上記実施形態では、撮像部および撮像窓部を、回転可能筐体の上端部近傍に配置した例を示したが、本考案はこれに限られない。本考案では、撮像部および撮像窓部を、回転可能筐体の下端部近傍など、回転可能筐体の上端部近傍以外の位置に配置してもよい。
【００７１】
また、上記実施形態では、撮像窓部と第１端面とが平行に配置されている場合、第１距離が第３距離の４分の１未満になる例を示したが、本考案はこれに限られない。本考案では、撮像窓部と第１端面とが平行に配置されている場合、第１距離が第３距離の４分の１よりも大きくなってもよい。
【００７２】
また、上記実施形態では、図４および図５に示すように、基台１の回転可能筐体５に近い側の端面１０ｃを情報端末J（他の機器）に向けるとともに、平面視において、基台１と情報端末Jとが略重ならないように、情報端末Jの近傍に卓上型顔認証用撮像装置１００を配置した例を示したが、本考案はこれに限られない。本考案では、図８に示すように、基台１の回転可能筐体５に近い側の端面１０ｄを情報端末Jに向けるとともに、平面視において、基台１と情報端末Jとが重なるように、回転可能筐体５の左側面５６（右側面）を情報端末Jに略接触させた状態で、情報端末Jの近傍に卓上型顔認証用撮像装置１００を配置してもよい。この場合、基台１の端面１０ｄを含む一部は、情報端末Jの下方に配置される。また、情報端末Jは、基台１を配置するための隙間（基台１の厚みより僅かに大きい隙間）を下端に有している。
【符号の説明】
【００７３】
１  基台
２  撮像部
４  撮像窓部
５、２０５、３０５  回転可能筐体
１０ａ  端面（第１端面）
１０ｃ  端面（第２端面）
１０ｄ  端面（第３端面）
１１  上面（表面）
５２  短辺
５３  長辺
５６  左側面（一方側面）
５７  右側面（他方側面）
１００、２００、３００  卓上型顔認証用撮像装置
Ｄ１  第３距離
Ｄ２  第１距離
Ｄ３  第２距離
Ｊ  情報端末
Ｏ  中心点
α  回転中心軸線
β  第１中心線
γ  第２中心線
【図１】
0003210133.tif 000003
【図２】
0003210133.tif 000004
【図３】
0003210133.tif 000005
【図４】
0003210133.tif 000006
【図５】
0003210133.tif 000007
【図６】
0003210133.tif 000008
【図７】
0003210133.tif 000009
【図８】
0003210133.tif 000010